(57)【特許請求の範囲】
【請求項１】
複数に分割された索引用図面と、その索引用図面部分の指す業務用図面とを対比させつつ表示する業務用図面表示装置において、
索引用図面を分割する表示サイズを設定する設定手段と、
上記分割された各索引用図面部分の指す業務用図面の識別子を管理する管理手段と、
上記管理手段を検索することで、上記設定手段の設定する表示サイズが規定の大きさ以上であるときに、索引用図面上に各索引用図面部分の指す業務用図面の識別子を表示し、それ以下であるときに、指定された索引用図面部分上に表示領域を開設して該索引用図面部分の指す業務用図面の識別子を表示する表示手段とを備えることを、
特徴とする業務用図面表示装置。
【請求項２】
格子線の重畳された索引用地図と、その索引用地図部分の指す業務用図面とを対比させつつ表示する業務用図面表示装置において、
上記格子線の生成する格子の表示サイズを設定する設定手段と、
上記格子線の区画する各索引用地図部分の指す業務用図面の識別子を管理する管理手段と、
上記管理手段を検索することで、上記設定手段の設定する表示サイズが規定の大きさ以上であるときに、上記格子線の区画する各索引用地図部分の指す業務用図面の識別子を特定し、それ以下であるときに、ポインティング手段の指定する索引用地図部分の指す業務用図面の識別子を特定する特定手段と、
上記設定手段の設定する表示サイズが上記規定の大きさ以上であるときに、上記格子線の区画する各索引用地図部分に対となる上記特定手段の特定する業務用図面識別子を表示し、それ以下であるときに、ポインティング手段の指定する索引用地図部分に対応付けて表示領域を開設して、該表示領域に上記特定手段の特定する業務用図面識別子を表示する表示手段とを備えることを、
特徴とする業務用図面表示装置。
【請求項３】
請求項２記載の業務用図面表示装置において、
特定手段は、ポインティング手段が規定の時間以上継続的に指定する索引用地図部分を特定対象として、該索引用地図部分の指す業務用図面の識別子を特定することを、
特徴とする業務用図面表示装置。
【請求項４】
格子線の重畳された索引用地図と、その索引用地図部分の指す業務用図面とを対比させつつ表示する業務用図面表示装置において、
上記格子線の生成する格子の表示サイズを設定する設定手段と、
上記格子線の区画する各索引用地図部分の指す業務用図面の属性情報を管理する管理手段と、
上記管理手段を検索することで、上記設定手段の設定する表示サイズが規定の大きさ以上であるときに、上記格子線の区画する各索引用地図部分の指す業務用図面の属性情報を特定し、それ以下であるときに、ポインティング手段の指定する索引用地図部分の指す業務用図面の属性情報を特定する特定手段と、
上記設定手段の設定する表示サイズが上記規定の大きさ以上であるときに、上記格子線の区画する各索引用地図部分に対となる上記特定手段の特定する業務用図面属性情報を表示し、それ以下であるときに、ポインティング手段の指定する索引用地図部分に対応付けて表示領域を開設して、該表示領域に上記特定手段の特定する業務用図面属性情報を表示する表示手段とを備えることを、
特徴とする業務用図面表示装置。
【請求項５】
請求項４記載の業務用図面表示装置において、
管理手段が複数の業務用図面属性情報を管理するときに、特定手段の特定対象となる１つ又は複数の業務用図面属性情報を設定する第２の設定手段を備えることを、
特徴とする業務用図面表示装置。
【請求項６】
請求項４又は５記載の業務用図面表示装置において、
特定手段は、ポインティング手段が規定の時間以上継続的に指定する索引用地図部分を特定対象として、該索引用地図部分の指す業務用図面の属性情報を特定することを、
特徴とする業務用図面表示装置。
【請求項７】
複数に分割された索引用図面と、その索引用図面部分の指す業務用図面とを対比させつつ表示する業務用図面表示装置を実現するプログラムが記憶されるプログラム記憶媒体であって、
索引用図面を分割する表示サイズを設定する設定手段と、
上記分割された各索引用図面部分の指す業務用図面の識別子を管理する管理手段と、
上記管理手段を検索することで、上記設定手段の設定する表示サイズが規定の大きさ以上であるときに、索引用図面上に各索引用図面部分の指す業務用図面の識別子を表示し、それ以下であるときに、指定された索引用図面部分上に表示領域を開設して該索引用図面部分の指す業務用図面の識別子を表示する表示手段とを実現するプログラムが記憶されることを、
特徴とするプログラム記憶媒体。
【請求項８】
格子線の重畳された索引用地図と、その索引用地図部分の指す業務用図面とを対比させつつ表示する業務用図面表示装置を実現するプログラムが記憶されるプログラム記憶媒体であって、
上記格子線の生成する格子の表示サイズを設定する設定手段と、
上記格子線の区画する各索引用地図部分の指す業務用図面の識別子を管理する管理手段と、
上記管理手段を検索することで、上記設定手段の設定する表示サイズが規定の大きさ以上であるときに、上記格子線の区画する各索引用地図部分の指す業務用図面の識別子を特定し、それ以下であるときに、ポインティング手段の指定する索引用地図部分の指す業務用図面の識別子を特定する特定手段と、
上記設定手段の設定する表示サイズが上記規定の大きさ以上であるときに、上記格子線の区画する各索引用地図部分に対となる上記特定手段の特定する業務用図面識別子を表示し、それ以下であるときに、ポインティング手段の指定する索引用地図部分に対応付けて表示領域を開設して、該表示領域に上記特定手段の特定する業務用図面識別子を表示する表示手段とを実現するプログラムが記憶されることを、
特徴とするプログラム記憶媒体。
【請求項９】
格子線の重畳された索引用地図と、その索引用地図部分の指す業務用図面とを対比させつつ表示する業務用図面表示装置を実現するプログラムが記憶されるプログラム記憶媒体であって、
上記格子線の生成する格子の表示サイズを設定する設定手段と、
上記格子線の区画する各索引用地図部分の指す業務用図面の属性情報を管理する管理手段と、
上記管理手段を検索することで、上記設定手段の設定する表示サイズが規定の大きさ以上であるときに、上記格子線の区画する各索引用地図部分の指す業務用図面の属性情報を特定し、それ以下であるときに、ポインティング手段の指定する索引用地図部分の指す業務用図面の属性情報を特定する特定手段と、
上記設定手段の設定する表示サイズが上記規定の大きさ以上であるときに、上記格子線の区画する各索引用地図部分に対となる上記特定手段の特定する業務用図面属性情報を表示し、それ以下であるときに、ポインティング手段の指定する索引用地図部分に対応付けて表示領域を開設して、該表示領域に上記特定手段の特定する業務用図面属性情報を表示する表示手段とを実現するプログラムが記憶されることを、
特徴とするプログラム記憶媒体。
【発明の詳細な説明】
【０００１】
【発明の属する技術分野】
本発明は、格子線の重畳された索引用地図と、その索引用地図部分の指す業務用図面とを対比させつつ表示する業務用図面表示装置と、その業務用図面表示装置を実現するプログラムが記憶されるプログラム記憶媒体とに関し、特に、必要とする業務用図面やその属性情報をユーザが簡単に取得できるようにする業務用図面表示装置と、その業務用図面表示装置を実現するプログラムが記憶されるプログラム記憶媒体とに関する。
【０００２】
各自治体では、地中に埋設されるガス管や水道管等の施設を管理する必要がある。このような場合、ディスプレイ画面に、管理対象となる地域の地図を索引用に表示するとともに、その中から選択される特定の地域部分に埋設される施設の図面をそれと対比させつつ表示し、必要に応じてその施設図面を編集する処理を行う業務用図面の管理装置が用いられることになる。
【０００３】
この業務用図面の管理装置では、必要とする業務用図面をユーザが簡単に取得できるようにするとともに、必要とする業務用図面の属性情報をユーザが簡単に取得できるようにする技術を構築していく必要がある。
【０００４】
【従来の技術】
従来の業務用図面の管理装置では、施設図面の索引用に表示する地図に対して、格子線を重畳して表示する構成を採って、ユーザに対して、その格子線により区画される地図部分をクリックさせることで、表示対象となる施設図面を選択させるという構成を採っていた。
【０００５】
この構成に従って、ユーザは、索引用に表示される格子線の重畳された地図の中から、自分の必要とする施設図面を持つ地図部分をクリックすることで、自分の必要とする施設図面をディスプレイ画面に表示していくことになる。
【０００６】
【発明が解決しようとする課題】
このクリック操作による全施設図面の選択を可能とするために、従来の業務用図面の管理装置では、全管理対象地域を包含する地図を索引用地図として表示する構成を採っている。
【０００７】
しかしながら、このような従来技術に従っていると、全管理対象地域を包含する地図を索引用地図として表示する必要があることから、索引用地図の縮尺の関係上、索引用地図の詳細部分が表示されないことになる。
【０００８】
これから、ユーザは、自分の必要とする施設図面を持つ地図部分を簡単に探すことができず、これがために、自分の必要とする施設図面を簡単に表示できないという問題点があった。
【０００９】
更に、従来の業務用図面の管理装置では、施設図面の属性情報については、施設図面とは別の画面に表示する構成を採っており、これから、施設図面の属性情報を簡単に入手できないという問題点もあった。
【００１０】
本発明はかかる事情に鑑みてなされたものであって、必要とする業務用図面やその属性情報をユーザが簡単に取得できるようにする新たな業務用図面表示装置の提供と、その業務用図面表示装置を実現するプログラムが記憶される新たなプログラム記憶媒体の提供とを目的とする。
【００１１】
【課題を解決するための手段】
図１に本発明の原理構成を図示する。
図中、１は本発明を具備する業務用図面表示装置であって、格子線の重畳された索引用地図と、その索引用地図部分の指す業務用図面とを対比させつつ表示するもの、２は業務用図面表示装置１の備えるディスプレイ装置、３は業務用図面表示装置１の備えるマウス等のようなポインティング手段、２０は索引用地図ファイルであって、業務用図面表示装置１の表示対象となる索引用地図を管理するもの、３０は業務用図面ファイルであって、業務用図面表示装置１の表示対象となる業務用図面を管理するものである。
【００１２】
業務用図面表示装置１は、読出手段１０と、管理手段１１と、特定手段１２と、設定手段１３と、第２の設定手段１４と、表示手段１５とを備える。
この読出手段１０は、索引用地図ファイル２０から索引用地図を読み出すとともに、業務用図面ファイル３０から業務用図面を読み出す。
【００１３】
管理手段１１は、格子線の区画する各索引用地図部分の指す業務用図面の識別子や属性情報を管理する。
特定手段１２は、管理手段１１の管理データを検索することで、格子線の区画する各索引用地図部分の指す業務用図面の識別子や属性情報を特定したり、ポインティング手段３の指定する索引用地図部分の指す業務用図面の識別子や属性情報を特定する。
【００１４】
設定手段１３は、格子線の生成する格子の表示サイズを設定することで索引用地図の表示縮尺を設定する。
第２の設定手段１４は、管理手段１１が複数の業務用図面属性情報を管理するときに、特定手段１２の特定対象となる１つ又は複数の業務用図面属性情報を設定する
表示手段１５は、読出手段１０の読み出す索引用地図に格子線を重畳してディスプレイ画面に表示するとともに、その索引用地図に対比付けて、その索引用地図部分の指す業務用図面をディスプレイ画面に表示し、更に、格子線の区画する各索引用地図部分に特定手段１２の特定する業務用図面識別子や業務用図面属性情報を表示したり、ポインティング手段３の指定する索引用地図部分に対応付けて表示領域を開設して、その表示領域に特定手段１２の特定する業務用図面識別子や業務用図面属性情報を表示する。
【００１５】
ここで、本発明の業務用図面表示装置１の持つ機能は具体的にはプログラムで実現されるものであり、このプログラムは媒体から提供され、データ処理装置にインストールされてメモリ上で動作することで、本発明の業務用図面表示装置１を実現することになる。
【００１６】
このように構成される本発明の業務用図面表示装置１では、設定手段１３は、格子線の生成する格子の表示サイズを設定することで索引用地図の表示縮尺を設定し、これを受けて、表示手段１５は、設定手段１３の設定する索引用地図の表示縮尺に応じて、索引用地図に格子線を重畳してディスプレイ画面に表示するとともに、その索引用地図に対比付けて、その索引用地図部分の指す業務用図面をディスプレイ画面に表示する。
【００１７】
このようにして格子線の重畳される索引用地図と、その索引用地図部分の指す業務用図面とがディスプレイ画面に表示されるときに、特定手段１２は、設定手段１３の設定する格子の表示サイズが規定の大きさ以上であるときには、管理手段１１を検索することで、格子線の区画する各索引用地図部分の指す業務用図面の識別子や属性情報を特定し、それ以下であるときには、管理手段１１を検索することで、ポインティング手段３の指定する索引用地図部分の指す業務用図面の識別子や属性情報を特定する。
【００１８】
そして、この特定処理を受けて、表示手段１５は、設定手段１３の設定する格子の表示サイズが規定の大きさ以上であるときには、格子線の区画する各索引用地図部分に対となる特定手段１２の特定する業務用図面識別子や業務用図面属性情報を表示し、それ以下であるときには、ポインティング手段３の指定する索引用地図部分に対応付けて表示領域を開設して、その表示領域に特定手段１２の特定する業務用図面識別子や業務用図面属性情報を表示する。
【００１９】
このように、本発明の業務用図面表示装置１では、格子線の重畳された索引用地図と、その索引用地図部分の指す業務用図面とを対比させつつ表示する構成を採るときにあって、格子の表示サイズの設定に応じて索引用地図を拡大縮小しつつ、格子の表示サイズが大きいときには、格子線の区画する各索引用地図部分にそれが指す業務用図面の識別子を表示し、格子の表示サイズが小さいことでその表示が不可能となるときには、ポインティング手段３の指定する索引用地図部分に対応付けて表示領域を開設して、その表示領域にその索引用地図部分が指す業務用図面の識別子を表示する構成を採るので、ユーザは、索引用地図を拡大縮小しながら自分の必要とする業務用図面を持つ索引用地図部分を探し出すことができるとともに、その索引用地図部分に対応付けて表示される業務用図面の識別子に従って、自分の必要とする業務用図面の識別子を簡単に取得できることになる。
【００２０】
これから、ユーザは、その業務用図面識別子を指定して業務用図面の表示要求を発行することで、自分の必要とする業務用図面を簡単に表示できるようになる。
【００２１】
そして、本発明の業務用図面表示装置１では、格子線の重畳された索引用地図と、その索引用地図部分の指す業務用図面とを対比させつつ表示する構成を採るときにあって、格子の表示サイズの設定に応じて索引用地図を拡大縮小しつつ、格子の表示サイズが大きいときには、格子線の区画する各索引用地図部分にそれが指す業務用図面の属性情報を表示し、格子の表示サイズが小さいことでその表示が不可能となるときには、ポインティング手段３の指定する索引用地図部分に対応付けて表示領域を開設して、その表示領域にその索引用地図部分が指す業務用図面の属性情報を表示する構成を採るので、ユーザは、自分の必要とする業務用図面の属性情報を簡単に取得できるようになる。
【００２２】
【発明の実施の形態】
以下、実施の形態に従って本発明を詳細に説明する。
図２に、本発明の一実施例を図示する。
【００２３】
図中、１ａは本発明を具備する施設図面管理装置であって、図３に示すように、ディスプレイ画面に、格子線の重畳された索引用地図（図中の左側）を表示するとともに、その中から選択される特定の地図部分に埋設されるガス管や水道管等の施設の図面（図中の右側）をそれと対比させつつ表示し、更に、ユーザと対話することでその施設図面を編集するもの、２ａは施設図面管理装置１ａの備えるディスプレイ装置、３ａは施設図面管理装置１ａの備えるマウス、２０ａは索引用地図ファイルであって、施設図面管理装置１ａの表示対象となる索引用地図を管理するもの、３０ａは施設図面ファイルであって、施設図面管理装置１ａの表示対象となる施設図面を管理するものである。
【００２４】
この施設図面管理装置１ａは、本発明を実現するために、プログラム記憶媒体からインストールされる表示編集プログラム１００と、図面情報テーブル１０１と、表示情報テーブル１０２と、索引用地図に重畳する格子のサイズの設定値を格納する格子サイズ設定域１０３とを備える。
【００２５】
ここで、格子線と索引用地図との位置関係は予め規定されており、これから、各格子の指す索引用地図部分は一義的に決定されることになる。そして、ディスプレイ画面上での格子の表示サイズが変更されると、それに対応して、索引用地図の表示縮尺が一義的に変更されることになる。
【００２６】
図４に、図面情報テーブル１０１の一実施例、図５に、表示情報テーブル１０２の一実施例を図示する。
図面情報テーブル１０１は、図４に示すように、索引用地図部分でのメッシュ座標（格子線により区切られる索引用地図部分の絶対的な格子番号）をキーにして、その索引用地図部分の指す施設図面の図面名（図番）を管理するとともに、その施設図面の中心座標値（索引用地図上での座標値）や、その施設図面の更新年月日や、その施設図面が更新処理中の状態にあるのか否かを示す排他状態等といったような、その施設図面の持つ属性情報を管理する。
【００２７】
一方、表示情報テーブル１０２は、図５に示すように、表示対象となる表示情報（施設図面の持つ属性情報の中から選択される）の種別を格納する「表示情報種別エントリー域」と、後述する表示フラグの値を格納する「表示フラグ域」とを持つ。
【００２８】
次に、表示編集プログラム１００の実行する処理フローに従って、本発明について詳細に説明する。
表示編集プログラム１００は、表示情報の設定要求が発行されると、図６の処理フローに示すように、先ず最初に、ステップ１で、表示情報テーブル１０２の「表示情報種別エントリー域」を参照することで、現在設定されている表示情報を取得する。
【００２９】
続いて、ステップ２で、施設図面の持つ属性情報の一覧を表示する図７に示すような表示情報設定画面を表示して、ステップ１で取得した現在の表示情報を明示しつつ、対話処理に従って、その表示情報設定画面で表示する施設図面の持つ属性情報の中から、新たに表示対象として設定する表示情報を選択する。
【００３０】
続いて、ステップ３で、この設定した表示情報を表示情報テーブル１０２の「表示情報種別エントリー域」に書き込んで処理を終了する。
このようにして、表示編集プログラム１００は、表示情報の設定要求が発行されると、施設図面の持つ属性情報の中から、表示対象とする表示情報を設定する処理を行うのである。
【００３１】
また、表示編集プログラム１００は、格子サイズの設定要求が発行されると、図８の処理フローに示すように、先ず最初に、ステップ１で、格子サイズ設定域１０３を参照することで、現在設定されている格子サイズを取得する。
【００３２】
続いて、ステップ２で、設定可能な格子サイズの一覧を表示する図９に示すような格子サイズ設定画面を表示して、ステップ１で取得した現在の格子サイズを明示しつつ、対話処理に従って、その格子サイズ設定画面で表示する格子サイズの中から、新たに格子サイズとして設定する格子サイズを選択する。
【００３３】
続いて、ステップ３で、この設定した格子サイズを格子サイズ設定域１０３に書き込んで処理を終了する。
このようにして、表示編集プログラム１００は、格子サイズの設定要求が発行されると、予め用意される設定可能な格子サイズの中から、表示する格子サイズを設定する処理を行うのである。
【００３４】
この格子サイズの設定処理に従って、ディスプレイ画面に表示される索引用地図の表示縮尺が設定されることになる。
また、表示編集プログラム１００は、後述する処理に従って図３の右側に表示する施設図面を変更すると、図１０の処理フローに示すように、先ず最初に、ステップ１で、格子サイズ設定域１０３に格納される格子サイズを読み取る。続いて、ステップ２で、この読み取った格子サイズを使って、新たに表示する索引用地図の表示範囲を計算する。この計算処理では、新たに表示する施設図面を持つ地図部分を索引用地図の中心位置に配設することを想定して、表示範囲を計算する。
【００３５】
続いて、ステップ３で、索引用地図ファイル２０ａから、この計算した表示範囲の指す索引用地図部分を取得して、ディスプレイ画面に描画する。続いて、ステップ４で、ステップ１で読み取った格子サイズにより指定されるその描画した索引用地図に含まれる格子点を求める。続いて、ステップ５で、この求めた格子点を結ぶ格子線をディスプレイ画面に描画して処理を終了する。
【００３６】
このようにして、表示編集プログラム１００は、後述する処理に従ってディスプレイ画面に表示する施設図面を変更すると、図１１に示すように、新たに表示する施設図面を持つ地図部分を中心位置に配置する索引用地図を表示しつつ、設定される格子サイズに応じて索引用地図を拡大縮小しながら、その索引用地図上に格子線（破線で示すもの）を表示していくように処理するのである。
【００３７】
これから、ユーザは、索引用地図を拡大縮小しながら自分の必要とする業務用図面を持つ索引用地図部分を探し出すことができるようになる。
ここで、上述したように、格子線と索引用地図との位置関係は予め規定されているので、各格子の指す索引用地図部分は一義的に決定されている。
【００３８】
なお、図１１中、スクロールキーＡは、表示する索引用地図を移動するために用意されるものであり、このキーが操作されると、表示編集プログラム１００は、その操作指示に従って、表示する索引用地図を変更していくことになる。また、表示領域Ｂは、施設図面の表示部分の中心座標値（索引用地図上での座標値）を表示するために用意されている。また、表示領域Ｃは、施設図面の表示縮尺（施設図面はユーザの指示に従って拡大縮小が可能である）を表示するために用意されている。
【００３９】
また、表示編集プログラム１００は、ＯＳイベントが発生すると、図１２の処理フローに示すように、先ず最初に、ステップ１で、発生したＯＳイベントがマウス３ａの移動通知のイベントであるのか否かを判断して、マウス３ａの移動通知のイベントであることを判断するときには、ステップ２に進んで、ＯＳの持つタイマをリセットする。
【００４０】
一方、ステップ１で、発生したＯＳイベントがマウス３ａの移動通知のイベントでないことを判断するときには、ステップ９に進んで、発生したＯＳイベントがタイマイベントであるのか否かを判断して、タイマイベントでないことを判断するときには、発生したＯＳイベントに対応する処理に入る。
【００４１】
これに対して、タイマイベントであることを判断するとき、すなわち、前回通知されたタイマイベントから規定時間経過することで発生するタイマイベントであることを判断するときには、ステップ１０に進んで、マウス３ａの指す位置が索引用地図内であるのか否かを判断して、索引用地図内でないことを判断するときには、そのまま処理を終了する。
【００４２】
一方、ステップ１０で、マウス３ａの指す位置が索引用地図内であることを判断するときには、ステップ１１に進んで、後述するフローティングウィンドウ（ＦＷ）が表示中であるのか否かを判断して、表示中であることを判断するときには、そのまま処理を終了し、表示中でないことを判断するときには、ステップ１２に進んで、表示情報テーブル１０２の表示フラグをＯＮにしてから、ステップ３に進む。
【００４３】
なお、後述することから分かるように、表示フラグがＯＮにセットされているということは、フローティングウィンドウを開設すべき状態にあることを意味している。
【００４４】
このようにして、マウス３ａが移動しているときには、ステップ２でＯＳのタイマをリセットしつつ、ステップ３の処理に入り、マウス３ａが移動していないときには、ステップ２でのリセット処理から規定時間経過後に発生するタイマイベントを受けて、ステップ３の処理に入ることになる。
【００４５】
このステップ３に進むと、格子サイズ設定域１０３に格納される格子サイズに従って、格子線により区切られる各索引用地図部分に施設図面の属性情報が表示可能であるのか否かを判断して、表示可能であることを判断するとき、すなわち、格子サイズが大きいことで、施設図面の属性情報が表示可能であることを判断するときには、ステップ１３に進んで、表示する情報を取得して、格子線により区切られる各索引用地図部分にその情報を表示し、続くステップ１４で、表示情報テーブル１０２の表示フラグをＯＦＦにして処理を終了する。
【００４６】
すなわち、格子線により区切られる索引用地図の各地図部分のメッシュ座標をキーにして図面情報テーブル１０１を参照することで、それらの各地図部分の持つ施設図面の図面名を取得するとともに、表示情報テーブル１０２を参照することで、表示対象として設定されている表示情報を特定し、図面情報テーブル１０１を参照することで、その図面名の指す属性情報の中から表示対象として設定されている属性情報を取得して、図１３に示すように、この取得した図面名と属性情報とを各地図部分に表示するのである。
【００４７】
なお、この図１３では、表示情報テーブル１０２には何も表示対象としない旨が設定されていることを想定しており、従って、図１４に示すように、格子線により区切られる索引用地図の各地図部分には、各地図部分の持つ施設図面の図面名のみが表示されることになる。
【００４８】
一方、ステップ３で、格子線により区切られる各地図部分に施設図面の属性情報が表示できないことを判断するとき、すなわち、格子サイズが小さいことで、施設図面の属性情報が表示不可能であることを判断するときには、ステップ４に進んで、表示フラグがＯＮにセットされているのか否かを判断して、ＯＮにセットされていないことを判断するときには、そのまま処理を終了する。
【００４９】
これに対して、表示フラグがＯＮにセットされていることを判断するときには、ステップ５に進んで、マウス３ａの指す位置をメッシュ座標に変換し、続くステップ６で、その変換したメッシュ座標をキーにして図面情報テーブル１０１を参照することで、マウス３ａの指す位置を含む地図部分の持つ施設図面の図面名を取得するとともに、表示情報テーブル１０２を参照することで、表示対象として設定されている表示情報を特定し、図面情報テーブル１０１を参照することで、その図面名の指す属性情報の中から表示対象として設定されている属性情報を取得する。
【００５０】
続いて、ステップ７で、ステップ６で取得した図面名の施設図面が存在するのか否かを判断して、存在しないことを判断するときには、ステップ１５に進んで、表示フラグをＯＦＦにして処理を終了し、存在することを判断するときには、ステップ８に進んで、マウス３ａの指す位置にフローティングウィンドウ（マウス３ａの移動とともに移動するというフローティング特性を持つ）を開設し、図１５に示すように、そのフローティングウィンドウにステップ６で取得した図面名と属性情報とを表示して処理を終了する。
【００５１】
なお、この図１５では、表示情報テーブル１０２には何も表示対象としない旨が設定されていることを想定しており、従って、図１６に示すように、フローティングウィンドウ４０には、マウス３ａの指すの指す地図部分の持つ施設図面の図面名のみが表示されることになる。
【００５２】
ここで、図１６に示すフローティングウィンドウ４０には、図面名「５０３３」に対して、「＊」というマークが付いてあるものを示している。この「＊」は、図面名「５０３３」の施設図面が施設図面ファイル３０ａから読み出されて、既に主記憶上に展開されていることを示している。この「＊」を表示するのか否かということについても、表示情報テーブル１０２を使って設定していくようにしてもよい。
【００５３】
このようにして、表示編集プログラム１００は、図１２の処理フローに従って、格子線により区切られる索引用地図の各地図部分に施設図面の属性情報が表示可能であるときには、それらの各地図部分に、それらの各地図部分の持つ施設図面の図面名や属性情報を表示するとともに、表示不可能であるときには、マウス２ａの指す地図部分（この実施例では、タイマイベントの規定する時間以上、マウス２ａの停止する地図部分を処理対象としている）にフローティングウィンドウ４０を開設して、そのフローティングウィンドウ４０に、その地図部分の持つ施設図面の図面名や属性情報を表示するのである。
【００５４】
なお、図１２の処理フローでは、施設図面の図面名については必ず表示する構成を採ったが、この図面名を表示するのか否かということについても、表示情報テーブル１０２を使って設定していくようにしてもよい。
【００５５】
本発明の施設図面管理装置１ａでは、この施設図面の図面名の表示構成に合わせて、図１７に示すように、施設図面の図面名を入力する構成を採って、その入力された図面名の指す施設図面を新たに表示していく構成を採っている。
【００５６】
すなわち、図１８に示すように、ユーザのボタン操作に応答して図面名入力画面４１を表示する構成を採って、ユーザのキー操作により、その図面名入力画面４１に図面名が入力されると、図１９に示すように、その入力された図面名の指す施設図面を新たに表示していく構成を採っているのである。
【００５７】
そして、ユーザからの操作に応答して、この施設図面を拡大表示する構成を採って、ユーザからの操作に応答して、この施設図面を更新していく処理を実行することになる。
【００５８】
この施設図面の編集の便宜を図るために、本発明の施設図面管理装置１ａは、図２０に示すように、施設図面のスクロールを実現するスクロールボタンを表示する機能を有している。
【００５９】
すなわち、図２１に示すように、施設図面のスクロールを指定するスクロールボタン４２を用意する構成を採って、ユーザがこのスクロールボタン４２を操作すると、そのボタン操作の指示する方向に施設図面をスクロールする機能を有している。
【００６０】
ここで、図２１に示す設定画面４３は、格子サイズを設定したり、索引用地図を表示せずに格子線と図面名のみを表示するという上位図面表示モードに設定したり、図面名のみを表示するという図面名表示モードに設定したり、格子線のみを表示するという図郭線モードに設定したり、索引用地図の中心の移動を指示するという移動モードに設定するために用意されている。
【００６１】
図示実施例に従って本発明を説明したが、本発明はこれに限定されるものではない。例えば、実施例では、格子線の重畳された索引用地図と、その索引用地図部分の指す業務用図面とを対比させつつ表示する業務用図面表示装置に従って本発明を開示したが、本発明は、このような業務用図面表示装置にその適用が限られるものではなく、複数に分割された索引用図面と、その索引用図面部分の指す業務用図面とを対比させつつ表示する業務用図面表示装置に対しても、そのまま適用できるのである。
【００６２】
【発明の効果】
以上説明したように、本発明の業務用図面表示装置では、格子線の重畳された索引用地図と、その索引用地図部分の指す業務用図面とを対比させつつ表示する構成を採るときにあって、格子の表示サイズの設定に応じて索引用地図を拡大縮小しつつ、格子の表示サイズが大きいときには、格子線の区画する各索引用地図部分にそれが指す業務用図面の識別子を表示し、格子の表示サイズが小さいことでその表示が不可能となるときには、マウス等の指定する索引用地図部分に対応付けて表示領域を開設して、その表示領域にその索引用地図部分が指す業務用図面の識別子を表示する構成を採るので、ユーザは、索引用地図を拡大縮小しながら自分の必要とする業務用図面を持つ索引用地図部分を探し出すことができるとともに、その索引用地図部分に対応付けて表示される業務用図面の識別子に従って、自分の必要とする業務用図面の識別子を簡単に取得できることになる。
【００６３】
これから、ユーザは、その業務用図面識別子を指定して業務用図面の表示要求を発行することで、自分の必要とする業務用図面を簡単に表示できるようになる。
【００６４】
そして、本発明の業務用図面表示装置では、格子線の重畳された索引用地図と、その索引用地図部分の指す業務用図面とを対比させつつ表示する構成を採るときにあって、格子の表示サイズの設定に応じて索引用地図を拡大縮小しつつ、格子の表示サイズが大きいときには、格子線の区画する各索引用地図部分にそれが指す業務用図面の属性情報を表示し、格子の表示サイズが小さいことでその表示が不可能となるときには、マウス等の指定する索引用地図部分に対応付けて表示領域を開設して、その表示領域にその索引用地図部分が指す業務用図面の属性情報を表示する構成を採るので、ユーザは、自分の必要とする業務用図面の属性情報を簡単に取得できるようになる。
【図面の簡単な説明】
【図１】本発明の原理構成図である。
【図２】本発明の一実施例である。
【図３】ディスプレイ画面の説明図である。
【図４】図面情報テーブルの一実施例である。
【図５】表示情報テーブルの一実施例である。
【図６】表示編集プログラムの実行する処理フローである。
【図７】表示情報設定画面の説明図である。
【図８】表示編集プログラムの実行する処理フローである。
【図９】格子サイズ設定画面の説明図である。
【図１０】表示編集プログラムの実行する処理フローである。
【図１１】ディスプレイ画面の説明図である。
【図１２】表示編集プログラムの実行する処理フローである。
【図１３】ディスプレイ画面の説明図である。
【図１４】ディスプレイ画面の説明図である。
【図１５】ディスプレイ画面の説明図である。
【図１６】ディスプレイ画面の説明図である。
【図１７】ディスプレイ画面の説明図である。
【図１８】ディスプレイ画面の説明図である。
【図１９】ディスプレイ画面の説明図である。
【図２０】ディスプレイ画面の説明図である。
【図２１】ディスプレイ画面の説明図である。
【符号の説明】
１    業務用図面表示装置
２    ディスプレイ装置
３    ポインティング手段
１０  読出手段
１１  管理手段
１２  特定手段
１３  設定手段
１４  第２の設定手段
１５  表示手段
２０  索引用地図ファイル
３０  業務用図面ファイル
【図１】
0003910684.tif 000002
【図２】
0003910684.tif 000003
【図３】
0003910684.tif 000004
【図４】
0003910684.tif 000005
【図５】
0003910684.tif 000006
【図６】
0003910684.tif 000007
【図７】
0003910684.tif 000008
【図８】
0003910684.tif 000009
【図９】
0003910684.tif 000010
【図１０】
0003910684.tif 000011
【図１１】
0003910684.tif 000012
【図１２】
0003910684.tif 000013
【図１３】
0003910684.tif 000014
【図１４】
0003910684.tif 000015
【図１５】
0003910684.tif 000016
【図１６】
0003910684.tif 000017
【図１７】
0003910684.tif 000018
【図１８】
0003910684.tif 000019
【図１９】
0003910684.tif 000020
【図２０】
0003910684.tif 000021
【図２１】
0003910684.tif 000022